(57)【要約】【課題】  本発明はスピニングリールに係り、釣糸の糸撚れをなくし、巻取り操作時のフィーリングの向上を図ったスピニングリールを提供することを目的とする。【解決手段】  リール本体に正逆両方向へ回転可能に取り付き、先端側にロータが取り付く駆動軸筒と、駆動軸筒内を挿通してリール本体の前後方向へ往復動可能に取り付き、先端にスプールが取り付くスプール軸と、リール本体に装着したハンドルの操作で駆動軸筒を回転駆動する駆動機構と、駆動軸筒を正逆回転可能状態と逆回転不能状態とに切り換える切換え機構と、ハンドルの回転をスプールの前後方向への往復動に変換するスプール往復動機構とを備えたスピニングリールに於て、駆動軸筒の外周に駆動軸筒と一体回転可能に制動板を摩擦結合し、駆動軸筒の正逆回転可能状態でのロータの逆回転に連動して、リール本体に対する制動板の回転を規制するストッパ機構と、制動板と駆動軸筒との摩擦力を調整する調整操作機構とを設けた。【選択図】    図１
2012005423.tif 000002
【特許請求の範囲】
【請求項１】
リール本体に正逆両方向へ回転可能に取り付き、先端側にロータが取り付く駆動軸筒と、
前記駆動軸筒内を挿通してリール本体の前後方向へ往復動可能に取り付き、先端にスプールが取り付くスプール軸と、
リール本体に装着したハンドルの操作で前記駆動軸筒を回転駆動する駆動機構と、
前記駆動軸筒を正逆回転可能状態と逆回転不能状態とに切り換える切換え機構と、
前記ハンドルの回転をスプールの前後方向への往復動に変換するスプール往復動機構とを備えた魚釣用スピニングリールに於て、
前記駆動軸筒の外周に、当該駆動軸筒と一体回転可能に制動板を摩擦結合し、
前記駆動軸筒の正逆回転可能状態での前記ロータの逆回転に連動して、リール本体に対する前記制動板の回転を規制するストッパ機構と、
前記制動板と駆動軸筒との摩擦力を調整する調整操作機構とを設けたことを特徴とする魚釣用スピニングリール。
【請求項２】
前記スプール往復動機構はオシレート機構で、当該オシレート機構のオシレートスライダーに、前記スプール軸の端部が固着されていることを特徴とする請求項１に記載の魚釣用スピニングリール。
【請求項３】
前記ロータは、前記駆動軸筒の軸方向に移動可能に当該駆動軸筒の外周に回り止め嵌合され、
前記調整操作機構は、前記制動板の前後に装着された挟持部材と、
前記ロータとスプールとの間に介装され、前記駆動軸筒の先端に回転操作可能に螺着された筒状の調整操作体と、
前記調整操作体と前記ロータとの間に装着され、当該ロータを駆動軸筒の軸方向に付勢する弾性部材とからなり、
前記調整操作体の回転操作で、前記ロータを介して制動板に対する挟持部材の挟持力を可変して、制動板と駆動軸筒との摩擦力を調整することを特徴とする請求項１に記載の魚釣用スピニングリール。
【請求項４】
前記調整操作部材と前記ロータとの間に、クリック機構を装着したことを特徴とする請求項３に記載の魚釣用スピニングリール。
【請求項５】
前記制動板は、駆動軸筒の外周に摩擦結合されたラチェットで、
前記ストッパ機構は、前記駆動機構のドライブギヤに形成された回転軸部に取り付くフリクションスプリングと、
前記フリクションスプリングの端部が連結し、リール本体に軸支された係止爪とからなり、
前記フリクションスプリングは、前記駆動軸筒の正逆回転可能状態でのロータの逆回転で前記係止爪をラチェットに係止させ、
ロータの正回転で係止爪をラチェットから離間させることを特徴とする請求項１に記載の魚釣用スピニングリール。
【発明の詳細な説明】
【技術分野】
【０００１】
本発明は魚釣用スピニングリールに係り、詳しくは掛かった魚が走った際に繰り出される釣糸の糸撚れをなくし、併せてスプール回転方向のガタを抑えた魚釣用スピニングリールに関する。
【背景技術】
【０００２】
従来周知のように魚釣用スピニングリール（以下、「スピニングリール」という）は、ロータに設けた一対の支持アームの先端に半環状のベールがベール支持部材を介して釣糸巻取り位置と釣糸放出位置へ、夫々、反転自在に取り付けられている。
【０００３】
そして、ベールを釣糸放出位置へ倒して仕掛けをキャスティングすると、スプールに巻回された釣糸がスパイラル状に繰り出され、ベールを釣糸巻取り位置へ反転させてハンドルを巻取り操作すると、ロータが釣糸巻取り方向へ回転し、このロータの回転に連動してリール本体の前後方向へ往復動するスプールに釣糸が巻き取られるようになっている。
【０００４】
ところで、特許文献１または特許文献２に開示されるように、従来、この種のスピニングリールに於て、生き餌を自由に泳がせる際に、また、掛かった魚が走った際に、スプールが回転して釣糸を送り出す仕様のものが広く使用されている。
【０００５】
このスピニングリールは、先端にスプールが取り付くスプール軸をリール本体に正逆両方向へ回転可能に支持し、当該スプール軸の先端部に、スプールに作用するドラグ力を調節する第１ドラグ機構（フロントドラグ機構）を装着すると共に、スプール軸の回転トルクを調節する第２ドラグ機構（サブドラグ機構）をリール本体の後端部に装着し、そして、スプールに作用するドラグ力をＯＮ／ＯＦＦに切り換える切換え機構（スプール軸の逆回転を防止してロータの逆回転を防止する逆転防止機構）を備えたもので、特許文献１のスピニングリールは、１本の長尺なスプール軸をリール本体の前後方向に回転可能に支持した一軸式、また、特許文献２のスピニングリールは、１本の短寸なスプール軸をリール本体に回転可能に支持すると共に、第２ドラグ機構の短寸な連動軸をスプール軸と平行に配設して、これらをギヤを介して連結した二軸式である。
【０００６】
而して、仕掛けをキャスティングし、切換え機構によってスプールに作用するドラグ力をＯＦＦ状態にしておくことで、魚が掛かった際に、スプールが第２ドラグ機構のドラグ力に応じ回転して釣糸を送り出すため、餌に食い付いた際の釣糸の負荷をなくし、これにより、食い込みを確実にすると共に、魚を自由に走らせて口切れを防止することができ、餌に食い付いた際に釣糸の負荷が加わると餌を吐きだしてしまう魚を対象魚とする場合に効果的である。
【先行技術文献】
【特許文献】
【０００７】
【特許文献１】特開平２−４０５号公報
【特許文献２】特開２００２−１２５５４７号公報
【発明の概要】
【発明が解決しようとする課題】
【０００８】
しかし、斯様にスプールが回転して釣糸を送り出す構造にあっては、スプールが回転することで前側鍔部が釣糸を捻り乍ら送り出すことになるため、釣糸に糸撚れが発生してしまう欠点が指摘されていた。
【０００９】
また、特許文献１に開示された一軸式のスピニングリールは、リール本体の前後方向に往復動する長尺なスプール軸の後端側に第２ドラグ機構を装着する構造上、リール全体が長くなって設計の自由度が制約されている。
【００１０】
更に、このスピニングリールは、切換え機構や第２ドラグ機構がリール本体に固定され、その中央をスプール軸が軸方向に往復動する構造上、各部の精度が出し難く、スプール回転方向のガタが大きくなって巻取り操作時にスプールの首振りが発生する等、巻取り操作時のフィーリングが悪いといった欠点も指摘されている。
【００１１】
一方、特許文献２に開示されたスピニングリールは、一軸式に比しスプール軸を短くして、当該スプール軸と前記連動軸との二軸式とした構造上、リール全体のコンパクト化が可能となった。
【００１２】
しかし、部品点数が増加したことで、更にスプール回転方向のガタが出やすく、巻取り操作時のフィーリングが悪いといった不具合がある。
【００１３】
本発明は斯かる実情に鑑み案出されたもので、既述した釣糸の糸撚れをなくし、併せてスプール回転方向のガタを抑えて巻取り操作時のフィーリングの向上を図ったスピニングリールを提供することを目的とする。
【課題を解決するための手段】
【００１４】
斯かる目的を達成するため、請求項１に係る発明は、リール本体に正逆両方向へ回転可能に取り付き、先端側にロータが取り付く駆動軸筒と、前記駆動軸筒内を挿通してリール本体の前後方向へ往復動可能に取り付き、先端にスプールが取り付くスプール軸と、リール本体に装着したハンドルの操作で前記駆動軸筒を回転駆動する駆動機構と、前記駆動軸筒を正逆回転可能状態と逆回転不能状態とに切り換える切換え機構と、前記ハンドルの回転をスプールの前後方向への往復動に変換するスプール往復動機構とを備えたスピニングリールに於て、前記駆動軸筒の外周に、当該駆動軸筒と一体回転可能に制動板を摩擦結合し、前記駆動軸筒の正逆回転可能状態での前記ロータの逆回転に連動して、リール本体に対する前記制動板の回転を規制するストッパ機構と、前記制動板と駆動軸筒との摩擦力を調整する調整操作機構とを設けたことを特徴とする。
【００１５】
そして、請求項２に係る発明は、請求項１に記載のスピニングリールに於て、前記スプール往復動機構はオシレート機構で、当該オシレート機構のオシレートスライダーに、前記スプール軸の端部が固着されていることを特徴とする。
【００１６】
また、請求項３に係る発明は、請求項１に記載のスピニングリールに於て、前記ロータは、前記駆動軸筒の軸方向に移動可能に当該駆動軸筒の外周に回り止め嵌合され、前記調整操作機構は、前記制動板の前後に装着された挟持部材と、前記ロータとスプールとの間に介装され、前記駆動軸筒の先端に回転操作可能に螺着された筒状の調整操作体と、前記調整操作体と前記ロータとの間に装着され、当該ロータを駆動軸筒の軸方向に付勢する弾性部材とからなり、前記調整操作体の回転操作で、前記ロータを介して制動板に対する挟持部材の挟持力を可変して、制動板と駆動軸筒との摩擦力を調整することを特徴とする。
【００１７】
更に、請求項４に係る発明は、請求項３に記載のスピニングリールに於て、前記調整操作部材と前記ロータとの間に、クリック機構を装着したことを特徴とする。
【００１８】
そして、請求項５に係る発明は、請求項１に記載のスピニングリールに於て、前記制動板は、駆動軸筒の外周に摩擦結合されたラチェットで、前記ストッパ機構は、前記駆動機構のドライブギヤに形成された回転軸部に取り付くフリクションスプリングと、前記フリクションスプリングの端部が連結し、リール本体に軸支された係止爪とからなり、前記フリクションスプリングは、前記駆動軸筒の正逆回転可能状態でのロータの逆回転で前記係止爪をラチェットに係止させ、ロータの正回転で係止爪をラチェットから離間させることを特徴とする。
【発明の効果】
【００１９】
各請求項に係る発明によれば、魚が掛かって魚が走り、釣糸の張力が増大して、調整操作機構で調整された駆動軸筒と制動板との摩擦力を超えると、制動板と駆動軸筒とが滑り、ロータが逆回転して釣糸を送り出すため、餌に食い付いた際の釣糸の負荷をなくして食い込みを確実にすると共に、魚を自由に走らせて口切れを防止することができるが、このようにロータが逆回転して釣糸を送り出す構造上、ロータが正回転する巻取り操作と同様、ロータ回転で同一なため糸撚れが発生し難くなる。そして、この糸撚れの発生防止は、生き餌を自由に泳がせる際にも発揮される。
【００２０】
そして、請求項２に係る発明によれば、スプール軸の端部がオシレートスライダーに固着されているため、スプール軸の回転ガタ付き防止が図られて巻取り操作時のフィーリングの悪さ（例えば、不快な首振り感）が解消される。
【００２１】
また、請求項３に係る発明によれば、調整操作機構の調整操作体をロータとスプールとの間に介装し、ロータを後方へ付勢する弾性部材を調整操作体とロータとの間に装着したため、リール全体のコンパクト化が図られる利点を有する。
【００２２】
更に、請求項４に係る発明によれば、ロータと調整操作体との間にクリック機構が装着されているため、回転部材たる調整操作体やロータの緩み止めが図られる利点を有する。
【図面の簡単な説明】
【００２３】
【図１】請求項１乃至請求項５の一実施形態に係るスピニングリールの要部切欠き側面図である。
【図２】スピニングリールの要部拡大側面図である。
【図３】スピニングリールの要部拡大側面図である。
【図４】ラチェットと係止爪の拡大背面図である。
【図５】皿バネの拡大側面図である。
【図６】クリック機構の拡大側面図である。
【発明を実施するための形態】
【００２４】
以下、本発明の実施形態を図面に基づいて説明する。
【００２５】
図１は請求項１乃至請求項５の一実施形態に係るスピニングリールを示し、図に於て、１は軸受３、４を介してリール本体５に正逆両方向へ回転可能に支持された中空な駆動軸筒（フライヤ軸）で、その先端側外周に、ロータ７が軸方向へ移動可能に回り止め嵌合されている。
【００２６】
そして、図１及び図２に示すように、駆動軸筒１の後端側外周に設けられたピニオンギヤ９に、ハンドル１１のハンドル軸１３に回り止め嵌合したドライブギヤ１５が噛合し、ハンドル１１を巻取り操作（正回転操作）すると、その駆動力がハンドル軸１３、ドライブギヤ１５、ピニオンギヤ９からなる駆動機構により駆動軸筒１に伝達されて、ロータ７が釣糸巻取り方向へ回転するようになっている。
【００２７】
更に、ロータ７の基部には、一対の支持アーム１７、１９がリール本体５の前方へ一体に延設されており、両支持アーム１７、１９の先端に、一対のベール支持部材２１、２３が釣糸巻取り位置と釣糸放出位置とに反転自在に取り付けられている。そして、両ベール支持部材２１、２３間に半環状のベール２５が取り付き、一方のベール支持部材２１にラインローラ２７が回転可能に装着されている。
【００２８】
また、図１中、２９は駆動軸筒１内を挿通してリール本体５の前後方向へ往復動可能に支持されたスプール軸で、スプール軸２９の後端側は、周知のオシレート機構（スプール往復動装置）３１のオシレートスライダー３３の上部に固着されている。そして、スプール軸２９の先端に、フロントドラグ機構（図示せず）を介してスプール３５が摩擦結合されており、ベール２５を釣糸放出位置から釣糸巻取位置へ反転してハンドル１１を巻取り操作すると、ロータ７の回転に連動してオシレート機構３１により前後方向へ往復動するスプール３１に、釣糸がラインローラ２７を介して巻回されるようになっている。
【００２９】
そして、図２に示すように上部にスプール軸２９が固着したオシレートスライダー３３の下部には、オシレートスライダー３３の前後動時のガタ付きを抑える１本のピラー３７がリール本体５の前後方向に挿通しており、ピラー３７によるオシレートスライダー３３のガタ付き防止によって、同時にスプール軸２９の回転ガタ付き防止が図られている。尚、図示するようにピラー３７は、リール本体５の底部に架設されている。
【００３０】
一方、駆動軸筒１の略中間部分の外周には、釣糸の巻取り操作時に駆動軸筒１の逆回転を防止してロータ７の逆回転を防止する一方向クラッチ３９からなる周知の逆転防止機構（切換え機構）４１が装着されており、リール本体５の後部に装着した切換えレバー４３の操作で、駆動軸筒１が正逆回転可能状態と逆回転不能状態とに切り換わるようになっている。
【００３１】
そして、図２乃至図４に示すように、前記軸受３とピニオンギヤ９との間の駆動軸筒１の外周に、１枚のラチェット（制動板）４５が駆動軸筒１と一体回転可能に摩擦結合され、当該ラチェット４５の前後に、夫々、１枚宛のリング状のワッシャ４７とライニング４９（挟持部材）が介装されており、図３に示すようにピニオンギヤ９側のワッシャ４７は、ピニオンギヤ９の端部に当接して移動が規制されている。
【００３２】
更に、ラチェット４５の近傍のリール本体５に、当該ラチェット４５に係脱可能な係止爪５１が軸支され、係止爪５１の後端に１本のフリクションスプリング５３の一端が連結されている。そして、図２に示すようにフリクションスプリング５３の他端側は平面視Ｃ字状に形成されて、ハンドル軸１３が挿着したドライブギヤ１５中央の筒状の回転軸部５５の外周に係合しており、ハンドル１１を巻取り操作（正回転操作）してドライブギヤ１５を矢印Ａ方向へ回転させると、フリクションスプリング５３は、ラチェット４５に係止している係止爪５１を図３の矢印Ｃ方向へ回転させて、ラチェット４５との係止状態を解除するようになっている。
【００３３】
一方、駆動軸筒１の正逆回転可能状態でロータ７（或いは、ハンドル１１）が逆回転すると、図２に示すようにドライブギヤ１５が矢印Ｂ方向へ逆回転するため、フリクションスプリング５３が逆方向に引っ張られて、図３に示すようにラチェット４５から離間している係止爪５１を矢印Ｄ方向へ回転させてラチェット４５に係止させるようになっており、フリクションスプリング５３と係止爪５１は、ロータ７（或いは、ハンドル１１）の逆回転に連動してリール本体５に対するラチェット４５の回転を規制するストッパ機構を構成している。
【００３４】
そして、本実施形態に係るスピニングリール５７は、前記構成に加え、前記ラチェット４５と駆動軸筒１との摩擦力を調整する調整操作機構を備えている。
【００３５】
即ち、図１及び図２に於て、５９は前記ロータ７とスプール３５のスカート部６１との間に介装され、駆動軸筒１の先端に回転操作可能に螺着された筒状の調整操作体で、操作性を高めるため、スカート部６１から後方へ突出する後端側外周に凹凸状の操作部６３が設けられている。
【００３６】
また、図５に示すように、駆動軸筒１に螺着した調整操作体５９の裏面側には、当該駆動軸筒１を中心に凹部６５が形成され、当該凹部６５に対向してロータ７の頂部に、駆動軸筒１を中心として凹部６７が形成されている。そして、両凹部６６、６７間に一対の皿バネ（弾性部材）６９が組み込まれており、当該皿バネ６９のバネ力で、駆動軸筒１に移動可能に回り止め嵌合されたロータ７が駆動軸筒１に沿って後方へ付勢され、ロータ７、一方向クラッチ３９の内輪７０、軸受３を介して伝わる皿バネ６９のバネ力で、前記ワッシャ４７とライニング４９がラチェット４５を挟持するようになっている。
【００３７】
従って、前記調整操作体５９の正逆両方向の回転操作（締め付け操作と緩め操作）で、ロータ７を後方に付勢する皿バネ６９のバネ力が調整されて、ラチェット４５に対するワッシャ４７とライニング４９の挟持力が調整でき、皿バネ６９のバネ力を大きくすると、ラチェット４５に対するワッシャ４７とライニング４９の挟持力が強まって、ラチェット４５と駆動軸筒１との摩擦力が大きくなる。
【００３８】
この結果、切換えレバー４３の操作で正逆回転可能状態となった駆動軸筒１（ロータ７）の逆回転方向への回転が重くなる。
【００３９】
一方、調整操作体５９を操作して皿バネ６９のバネ力を小さくすると、ラチェット４５に対するワッシャ４７とライニング４９の挟持力が弱まってラチェット４５と駆動軸筒１との摩擦力が小さくなるため、正逆回転可能状態にある駆動軸筒１（ロータ７）は逆回転し易くなる。
【００４０】
その他、図２に於て、７１はロータ７と調整操作体５９との間に装着されたクリック機構で、図６に示すようにクリック機構７１は、ロータ７頂部の凹部７３内に収納されて、前方に突出する先端が円形状に形成された棒状のクリック体７５と、当該クリック部材７５に巻装されてクリック体７５を調整操作体５９の裏面側方向へ付勢するコイルスプリング７７と、調整操作体５９の裏面側に形成されてクリック体７５の先端が係合する半円状の凹部７９とからなり、コイルスプリング７７のバネ力でクリック体７５は凹部７９に常時係合している。
【００４１】
そして、前記凹部７９は、ロータ７と共に回転するクリック体７５の回転軌跡に沿って多数形成されており、ロータ７の回転でクリック体７５がこれら凹部７９に順次係合することで、調整操作体５９の緩み（ロータ７に対する回転方向の緩み）を防止し、同時に、クリック音を発生させると共に、釣人に凹部７９を乗り越える際の軽い衝撃を感じさせるようになっている。
【００４２】
本実施形態に係るスピニングリール５７はこのように構成されているから、仕掛けをキャスティング後、ベール２５を釣糸巻取り位置へ戻して調整操作体５９を所定量操作し、切換えレバー４３を操作して駆動軸筒１を正逆回転可能状態に切り換えて魚の当たりを待つことになる。
【００４３】
この後、魚がエサを喰わえて走ると、釣糸に掛かる張力によってロータ７に逆回転方向の力が掛かるが、ロータ７が逆回転すると、フリクションスプリング５３のバネ力で係止爪５１がラチェット４５に係止して、ラチェット４５の逆回転が規制されるので、ラチェット４５に摩擦結合されている駆動軸筒１の逆回転も規制され、ロータ７は直ぐには逆回転しない。そして、釣糸の張力が増大して駆動軸筒１とラチェット４５との摩擦力を超えると、ラチェット４５と駆動軸筒１とが滑り、ロータ７が逆回転して釣糸を送り出すこととなる。そして、既述したように駆動軸筒１とラチェット４５との摩擦力は、調整操作体５９の操作で適宜調整できることとなる。
【００４４】
これにより、餌に食い付いた際の釣糸の負荷をなくして食い込みを確実にすると共に、魚を自由に走らせて口切れを防止することができる。
【００４５】
また、このようにロータ１が逆回転して釣糸を送り出す構造上、ロータ１が正回転する巻取り操作と同様、ロータ回転で同一なため糸撚れが発生し難くなる。そして、この糸撚れの発生防止は、生き餌を自由に泳がせる際にも発揮される。
【００４６】
この後、切換えレバー４３を操作して駆動軸筒１を逆回転不能状態に切り換えて、魚の引きに応じてハンドル１１を巻取り操作（正回転操作）すれば、係止爪５１とラチェット４５の係止状態が解除され、フロントドラグ機構のドラグ力に応じて魚が巻き取られることとなる。
【００４７】
そして、スプール軸２９は後端側がオシレートスライダー３３に固着され、而も、ピラー３７によってオシレートスライダー３３のガタ付き防止が図られているため、スプール軸２９の回転ガタ付き防止が図られて巻取り操作時のフィーリングの悪さ（例えば、不快な首振り感）が解消される。
【００４８】
更に、ロータ７と調整操作体５９との間にクリック機構７１が装着されて、クリック部材７５がコイルスプリング７７のバネ力で調整操作体５９の凹部７９に常時係合しているため、回転部材たる調整操作体５９やロータ７の緩み止めが図られることとなる。
【００４９】
このように本実施形態によれば、以下の如き多くの優れた作用効果を有する。
【００５０】
(1)生き餌を自由に泳がせる際に、また、掛かった魚が走った際にスプールが回転して釣糸を送り出す従来例に比し、釣糸の糸撚れが発生し難くなる利点を有する。
【００５１】
(2)スプール軸２９の回転ガタ付き防止が図られるため、巻取り操作時のフィーリングの悪さ（例えば、不快な首振り感）が解消できる利点を有する。
【００５２】
(3)ロータ７と調整操作体５９との間にクリック機構７１が装着されて、クリック部材７５がコイルスプリング７７のバネ力で調整操作体５９に常時係合しているため、回転部材たる調整操作体５９やロータ７の緩み止めが図られる利点を有する。
【００５３】
(4)駆動軸筒１とラチェット４５との摩擦力を調整する調整操作体５９を、ロータ７とスプール３５との間に介装したため、リール全体のコンパクト化が図られる。
【００５４】
(5)ラチェット４５のストッパ機構たる係止爪５１とフリクションスプリング５３をドライブギヤ１５歯面下のロータ７内に配置したため、リール全体のコンパクト化が図られる。
【００５５】
(6)駆動軸筒１に沿ってロータ７を後方へ付勢する皿バネ６９を調整操作体５９の裏面側とロータ７の頂部との間に装着したため、リール全体のコンパクト化が図られる。
【符号の説明】
【００５６】
１  駆動軸筒
５  リール本体
７  ロータ
９  ピニオンギヤ
１１  ハンドル
１３  ハンドル軸
１５  ドライブギヤ
２９  スプール軸
３１  オシレート機構
３３  オシレートスライダー
３５  スプール
３７  ピラー
３９  一方向クラッチ
４１  逆転防止機構（切換え機構）
４３  切換えレバー
４５  ラチェット（制動板）
４７  ワッシャ
４９  ライニング（挟持部材）
５１  係止爪
５３  フリクションスプリング
５５  回転軸部
５７  スピニングリール
５９  調整操作体
６９  皿バネ
７１  クリック機構
７５  クリック体
【図１】
2012005423.tif 000003
【図２】
2012005423.tif 000004
【図３】
2012005423.tif 000005
【図４】
2012005423.tif 000006
【図５】
2012005423.tif 000007
【図６】
2012005423.tif 000008